(57)【特許請求の範囲】
【請求項１】
洋式便器の便座に着脱自在の補助便座であって、
補助便座は左座部と右座部との前端部側を連結部で連結した平面視略Ｕ字形状であり、
前記補助便座は左座部と右座部との後端部側が相互に近接又は離間方向に弾性変形可能であり、
前記左座部と右座部は後方に左右方向外側に膨出部を有し、
前記膨出部は裏面側に突起部を有し、
補助便座を便座に装着する際に、
前記連結部は前後方向の位置決め部を有し、前記左座部と右座部とは左右方向の位置決め部を有することを特徴とする幼児用補助便座。
【請求項２】
前記連結部は上部が隆起した隆起部にすることで内側に凹部を形成してあることを特徴とする請求項１記載の幼児用補助便座。
【請求項３】
前記補助便座はエチレン・酢酸ビニル共重合体の発泡成形体であることを特徴とする請求項１又は２記載の幼児用補助便座。
【発明の詳細な説明】
【技術分野】
【０００１】
本発明は、幼児等を補助便座に着座させたまま、大人等の介添え者がこの幼児等の臀部を清拭するのが容易な補助便座に関する。
【背景技術】
【０００２】
洋式便器の大人用便座上に載置、装着して幼児等が使用できるようにした幼児、子供用補助便座は公知である。
しかし、従来の幼児用補助便座は例えば特許文献１に示すように中央に穴を形成した略楕円形状のものであった。
このような略楕円形状の補助便座は、幼児等を座らせた状態では、当該補助便座の後部が邪魔になり、大人の手がお尻にまわらず、幼児等が用を足した後にわざわざ幼児を便器から降ろしてお尻を拭かなければならない問題があった。
【０００３】
特許文献２に便座に着座したまま臀部を清拭できる便座装置として、後方が切り欠いた便座が前方に向かって移動する便座装置を開示するが、大人用の便座の上に着脱できる幼児用補助便座ではなく、便器本体に取り付けた状態のまま前後方向に移動できる大人用の便座装置であり、大人用便座に着脱使用することが目的ではない。
【先行技術文献】
【特許文献】
【０００４】
【特許文献１】特開２００８−６１７７７号公報
【特許文献２】特開２００９−２９７４４５号公報
【発明の概要】
【発明が解決しようとする課題】
【０００５】
本発明は幼児を補助便座に座らせたまま、大人等の介添え者がお尻を清拭できる補助便座の提供を目的とする。
【課題を解決するための手段】
【０００６】
本発明に係る幼児用補助便座は、洋式便器の便座に着脱自在の補助便座であって、補助便座は左座部と右座部との前端部側を連結部で連結した平面視略Ｕ字形状であり、前記補助便座は左座部と右座部との後端部側が相互に近接又は離間方向に弾性変形可能であり、前記左座部と右座部は後方に左右方向外側に膨出部を有し、前記膨出部は裏面側に突起部を有し、補助便座を便座に装着する際に、前記連結部は前後方向の位置決め部を有し、前記左座部と右座部とは左右方向の位置決め部を有することを特徴とする。
ここで前端部側とは、補助便座を洋式便器の大人用便座に載置又は装着した場合に便蓋の枢支側とは反対方向をいう。
通常、幼児等の使用者は上方に向けて便蓋を回動及び開き、この開いた便蓋側を背にして座るからである。
また、左右は、幼児等の使用者が補助便座に着座した状態での左右方向をいう。
本発明で補助便座の形状として、左座部と右座部との前端部側を連結部で連結することで、平面視略Ｕ字形状にしたのは、幼児を着座させたまま、左座部と右座部との後部側に、この幼児の臀部に大人の手を廻り込ませることができる程度の隙間を形成した開放部にするためである。
従って、開放部の左右方向寸法は約８ｃｍ以上有するのが好ましい。
【０００７】
ここで、連結部は上部が隆起した隆起部にすることで内側に凹部を形成してあるのが好ましく、補助便座はエチレン・酢酸ビニル共重合体の発泡成形体であってもよい。
【０００８】
補助便座を大人用の便座の上に載置する場合に補助便座がずれないように便器に固定できるのが好ましい。
この固定方法として補助便座がＰＶＣ、ＡＢＳ樹脂等、弾性変形が少ない比較的剛体に近い材質で製作されている場合には、補助便座の左右の座部の裏面に偏心カム、回動バー等の回動式位置決め部材、便座の内外方向にスライドするスライド式位置決め部材等を取り付け、この位置決め部材の回動やスライド移動により、便器（便座）の開口部内側又は外側に固定したり、補助便座の裏面に粘着部材を取り付けて粘着固定する手段が例として挙げられる。
【０００９】
これらの位置決め方法は従来の略楕円形状の補助便座においても採用されてきた方法である。
本発明は補助便座を平面視で略Ｕ字形状にした点に特徴があり、この特徴を活かして左右の座部を前端部側で連結した当該連結部に弾性変形部を設けるか、あるいは補助便座全体を比較的弾性変形しやすい樹脂材やゴム質材で製作すれば、補助便座の裏面に突出した位置決め部を設けるだけで後端部側が開放された左右の座部の近接、離間方向の弾性力を利用して便器（便座）の開口部の内側又は外側に位置決め固定することができる。
【００１０】
例えば、補助便座の前側連結部の裏面側に突出した位置決め部材を設けて大人用便座の開口部内側に位置させ、左右の座部の裏面側に突出した位置決め部材をそれぞれ設けて当該大人用便座の開口部の左右内側にそれぞれ位置させる場合には、補助便座の左右の座部の開放した後部の間隔が狭くなるように少し弾性変形させ、大人用便座の上に載置し、そのまま手を離すだけで左右の座部が左右外側方向に弾性復帰し、大人用便座に前後方向及び左右方向が位置決めされ固定できる。
逆に大人用便座の外側に位置決め固定する場合には、補助便座の裏面側に、当該大人用便座の外側の側壁に位置するように突出した位置決め部材を設けるだけでよく、この場合に補助便座の左右の座部を外側方向に開くように弾性変形させ、便座に装着することになる。
【発明の効果】
【００１１】
本発明に係る補助便座は、前側が連結した略Ｕ字形状になっているので、幼児等を補助便座に座らせ、用を足した後にそのまま後側から臀部を清拭できる。
また、左座部と右座部との後端部側が相互に近接又は／及び離間方向に弾性変形可能に製作するとその弾性力を活用し、大人用便座に容易に着脱できる。
【図面の簡単な説明】
【００１２】
【図１】本発明に係る補助便座を大人用便座に装着する状態を示し、（ａ）は装着前、（ｂ）は装着後を示す。
【図２】補助便座を示し、（ａ）は平面視、（ｂ）は正面視、（ｃ）は側面視、（ｄ）はＡ−Ａ線断面図を示す。
【図３】補助便座を示し、（ａ）は前方斜視図、（ｂ）は後方斜視図、（ｃ）は裏面後方斜視図を示す。
【図４】補助便座と大人用便座との位置関係を示し、（ａ）は装着状態を示した裏面視、（ｂ）は左右の座部の弾性変形方向を示す。
【図５】補助便座と大人用便座の上下方向の位置関係を示し、（ａ）は大人用便座の上面が中央下方向に傾斜している場合、（ｂ）は大人用便座の上面が平坦な場合を示す。
【図６】補助便座を大人用便座の外側の側面を用いて位置決め固定する例を示し、（ａ）は裏面視、（ｂ）は弾性変形方向を示す。
【図７】補助便座の変形例を示し、（ａ）は左右の座部の後方に膨出部が無い場合、（ｂ）は回動バー部材からなる位置決め部材の例、（ｃ）はスライド部材からなる位置決め部材の例、（ｄ）は粘着部材からなる位置決め部材の例を示す。
【発明を実施するための形態】
【００１３】
本発明に係る補助便座１０の例を以下図面に基づいて説明するが、本発明の趣旨の範囲において適宜変更が可能であり、本実施例に限定されない。
【００１４】
補助便座１０は図１〜３に示すように幼児が着座する際に臀部の右側を受けるための、前後方向に細長の右座部１１と、臀部の左側を受けるための、前後方向に細長の左座部１２とを有し、この左右の座部（１２，１１）は前端部側の連結部１３にて連結した平面視略Ｕ字形状になっている。
本実施例では、連結部及び左右の座部が大人用の便座３の楕円形状に開口した開口部５の形状に沿った湾曲形状になった例となっている。
【００１５】
本実施例の補助便座１０はエチレン・酢酸ビニル共重合体（ＥＶＡ）の発泡成形体からなり、弾性を有している。
なお、ポリウレタン等弾性を有するものであれば他の樹脂材料からなる発泡体でもよく、また、連結部１３に弾性材が用いられていれば左右の座部は剛体に近い材料でもよい。
また、芯材と表皮材との複合体等でもよい。
【００１６】
補助便座１０は前側の連結部１３の上部が隆起した隆起部１３ａになっていて、内側の凹部１３ｃにより小便の飛散を防止する。
また、補助便座１０の裏面には図２及び図３（ｃ）に示すように、Ｕ字形状の内側寄りに沿って下方に向けて突出した突出部を有し、連結部１３の位置に有する突出部は前後方向の位置決め部１３ｂとして作用し、右座部１１の後方側に位置する突出部及び左座部１２の後方側に位置する突出部はそれぞれ左右方向の位置決め部１１ｂ，１２ｂとして作用する。
なお、本実施例では、前後方向の位置決め部１３ｂ及び左右方向の位置決め部１１ｂ、１２ｂを連続した略Ｕ字形状の突出部にした例になっているが、それぞれの位置決め部が分離して設けられていても良い。
【００１７】
補助便座１０は右座部１１と左座部１２との後方に左右方向外側に膨出した外形が半円形状の膨出部１１ａ，１２ａを有し、裏面側に半球状の突起形状からなる突起部１１ｃ，１２ｃを有する。
【００１８】
上記のような形状の補助便座１０にしたことにより、図１（ａ）に示すように補助便座１０の後側の開放部１４の間隔が少し狭くなるように矢印ｆの方向に弾性変形させ、そのまま図１（ｂ）に示すように内側にボウル部４を有する便器１の大人用便座３の開口部内側に装着し、手を離すだけで便座３に位置決め固定される。
その状態を裏面から見たのが図４である。
市販されている洋式便器の大人用便座３には、仕様により２点鎖線６で示す開口部形状及び２点鎖線７で示すような開口部形状等、開口部の大きさに差がある。
補助便座１０の左右の座部（１２，１１）を内側方向にｆの力で軽く弾性変形させることで、開放部の間隔Ｗ０をＷ１になるように狭くし、便座３の開口部５に装着すると弾性復帰し、Ｆの力で外側方向矢印の方向に弾性復帰力が作用する。
これにより、市販の大人用便座の開口部５の内側寸法の差を吸収し、前後方向は連結部１３の位置決め部１３ｂで固定され、左右方向は左右の座部の裏面に相互に対向するように突出し設けた位置決め部１２ｂ，１１ｂにて固定されるので、補助便座１０は上記３点にて位置決め固定される。
従って、補助便座１０の左右の位置決め部１２ｂ，１１ｂの間隔寸法Ｄ１は自由状態で便座３の開口幅寸法Ｄ０よりも大きい。
また、補助便座１０の前後方向の位置決め部の寸法Ｌ１は便座１０の開口部５の前後方向の内側寸法Ｌ０よりも小さく、Ｌ０の１／２以上がよい。
左右の座部の裏面に相互に対向するように突出して設けた位置決め部１２ｂ，１１ｂが開口部５の最大開口幅より後方側の開口幅が狭くなるように徐変した内側部分に当接すると弾性復帰力Ｆの力が作用し、補助便座１０が後方にずれるのを防止する。
【００１９】
補助便座の左右の座部１２，１１の後部側に膨出部１２ａ，１１ａを設け、左右の座部１２，１１の後部裏面に突起部１２ｃ，１１ｃを設けたことにより、図５（ａ）に示すように便座３の上面に中央下方向の傾斜面３ａを有するものでも、（ｂ）に示すように上面が平坦である平坦面３ｂの有するものであっても安定して載置できる。
【００２０】
図６に補助便座１０の位置決め方法の変形例を示す。
（ａ）は大人用の便座３の外側の側面で位置決め固定する例である。
補助便座１０の外側に沿って前後方向の位置決め部１３ｅ、左右方向の位置決め部１２ｄ，１１ｄをそれぞれ突出部にて形成した例である。
この場合に（ｂ）に示すように自由状態では開放部の間隔Ｗ０は便座３の外側寸法よりも小さい。
補助便座１０を便座３に装着する場合は、（ｂ）に示すように、間隔Ｗ０をＷ２のように広げるようにして装着する。
なお、連結部１３の前後方向であって、下方向に対向突出した位置決め部１３ｄと１３ｅとの間に便座３の前湾部を挟み込むだけで、補助便座１０を便座３に位置決め固定する方法でも良い。
【００２１】
図７（ａ）は後部側の膨出部が無い補助便座の例であり、（ｂ）〜（ｄ）は弾性変形が小さい材料を用いた補助便座の例である。
（ｂ）〜（ｄ）の実施例では前部にハンドル部１４を有し、（ｂ）は左右の座部に回動バー１１２ｂ，１１１ｂからなる位置決め部材を取り付けた例、（ｃ）はスライド部材２１２ｂからなる位置決め部材を取り付けた例、（ｄ）は裏面に粘着部材３１２ｂを取り付けた例を示す。
【符号の説明】
【００２２】
１        便器
２        便蓋
３        便座
４        ボウル部
５        開口部
１０      補助便座
１１      右座部
１１ａ    膨出部
１１ｂ    位置決め部
１１ｃ    突起部
１２      左座部
１２ａ    膨出部
１２ｂ    位置決め部
１２ｃ    突起部
１３      連結部
１３ａ    隆起部
１３ｂ    位置決め部
１４      開放部
【図１】
0005626888.tif 000002
【図２】
0005626888.tif 000003
【図３】
0005626888.tif 000004
【図４】
0005626888.tif 000005
【図５】
0005626888.tif 000006
【図６】
0005626888.tif 000007
【図７】
0005626888.tif 000008